(57)【特許請求の範囲】
【請求項１】
打込み式のアンカーであって、
複数個の開口が形成された、ワイヤーロープが固定されるフックが取り付けられた台座と、
前記開口に挿入される鞘管と、
前記鞘管内に挿入されるアンカー本体とからなり、
前記鞘管の長さが、１０００ｍｍであり、
前記アンカー本体のフランジから下端までの長さが、１５００ｍｍであることを特徴とするアンカー。
【請求項２】
前記アンカー本体の径は、２５ｍｍであることを特徴とする請求項１に記載のアンカー。
【請求項３】
前記鞘管の板厚は、２．３ｍｍであることを特徴とする請求項１又は２に記載のアンカー。
【請求項４】
前記鞘管の上端には、前記開口の径より大きい面積を有する鞘管用フランジが形成され、前記アンカー本体の上部には、前記鞘管用フランジの上に重ねられるアンカー本体用フランジが形成されていることを特徴とする、請求項１から３の何れか１つに記載のアンカー。
【請求項５】
前記アンカー本体は、４本設けられていることを特徴とする、請求項１から４の何れか１つに記載のアンカー。
【請求項６】
前記台座がチャンネル鋼からなっていることを特徴とする、請求項１から５の何れか１つに記載のアンカー。
【発明の詳細な説明】
【技術分野】
【０００１】
この発明は、アンカー、特に、落石防止用網や落石防止用柵を固定するためのアンカーに関するものである。
【背景技術】
【０００２】
従来から落石防止策として、落石が発生するおそれのある斜面に落石防止用網や落石防止用柵を設置することが行なわれている。例えば、落石防止用網は、図６に示すように、縦横に配されたワイヤーロープ１１間に金網１２を張ったものからなり、金網１２により斜面１３を覆うことによって落石を防止している。金網１２の上部は、斜面１３に設置された支柱１４と吊りロープ１５を介して斜面１３にアンカー１６により固定されている。
【０００３】
上記金網１２を斜面１３に固定するアンカー１６は、金網１２に落石の荷重がかかった場合に、その荷重によって金網１２が斜面１３から離脱しないように強固に斜面１３に固定できるものでなければならない。
【０００４】
図７に示すように、アンカー（以下、従来アンカーという）１６は、チャンネル鋼からなる台座１７と、台座１７にその上部から挿入され、斜面１３に打ち込まれるアンカー本体１８とからなっている。アンカー本体１８は、台座１７にその長手方向に間隔をあけて複数本（この例では、４本）、挿入される。アンカー本体１８の上部には、フランジ１９が溶接され、アンカー本体１８の斜面１３への打込み後、フランジ１９が台座１７に当接することにより、台座１７がアンカー本体１８に固定される。台座１７には、フック２０が取り付けられていて、フック２０に吊りロープ１５を固定することにより金網１２の上部が斜面１３に固定される。
【０００５】
特許文献１には、別の従来アンカーが開示されている。この別の従来アンカー２１は、図８に示すように、箱状の頭部固定具２２と、頭部固定具２２にプレート２３とナット２４により固定される複数本の鋼棒２５とからなっている。
【０００６】
この別の従来アンカー２１を斜面に設置するには、図８に示すように、斜面に孔２６を掘削した後、鋼棒２５を孔２６に挿入し、鋼棒２５の上部を頭部固定具２２から貫通させ、プレート２３とナット２４により固定する。そして、鋼棒２５が挿入された孔２６および頭部固定具２２内にグラウト２７を充填する。
【０００７】
特許文献２には、さらに別の従来アンカーが開示されている。このさらに別の従来アンカー２８は、図９に示すように、鉄筋２９と、鉄筋２９より短い長さを有する、鉄筋２９が挿入される中空管状体３０とからなっている。
【０００８】
このさらに別の従来アンカー２８を斜面に設置するには、図９に示すように、斜面３１に孔３２を掘削した後、鉄筋２９が挿入された中空管状体３０を孔３２内に挿入する。
【先行技術文献】
【特許文献】
【０００９】
【特許文献１】特開２００２−４７６５０号公報
【特許文献２】特開２０１１−２４６９４８号公報
【発明の概要】
【発明が解決しようとする課題】
【００１０】
上記打込み式の従来アンカー１６によれば、金網１２を斜面１３に強固に固定することはできるが、さらに強固に固定する要望がある。
【００１１】
上記別の従来アンカー２１は、予め掘削した孔２６に鋼棒２５を挿入し、孔２６内にグラウト２７を充填するものであり、従来アンカー１６のように、アンカー本体１８を斜面に打ち込むものではない。
【００１２】
上記さらに別の従来アンカー２８は、図９に示すように、表層すべり土塊３３の移動や亀裂発生を抑制するものであり、従来アンカー１６のように、アンカー本体１８を斜面に打ち込んで、金網１２を固定するものではない。
【００１３】
従って、この発明の目的は、落石防止用網や落石防止用柵をさらに強固に斜面に固定することができるアンカーを提供することにある。
【課題を解決するための手段】
【００１４】
この発明は、上記目的を達成するためになされたものであり、下記を特徴とする。
【００１５】
請求項１に記載の発明は、打込み式のアンカーであって、複数個の開口が形成された、ワイヤーロープが固定されるフックが取り付けられた台座と、前記開口に挿入される鞘管と、前記鞘管内に挿入されるアンカー本体とからなり、前記鞘管の長さが、１０００ｍｍであり、前記アンカー本体のフランジから下端までの長さが、１５００ｍｍであることに特徴を有するものである。
請求項２に記載の発明は、請求項１に記載の発明において、前記アンカー本体の径は、２５ｍｍであることに特徴を有するものである。
請求項３に記載の発明は、請求項１または２に記載の発明において、前記鞘管の板厚は、２．３ｍｍであることに特徴を有するものである。
【００１６】
請求項４に記載の発明は、請求項１から３の何れか１つに記載の発明において、前記鞘管の上端には、前記開口の径より大きい面積を有する鞘管用フランジが形成され、前記アンカー本体の上部には、前記鞘管用フランジの上に重ねられるアンカー本体用フランジが形成されていることに特徴を有するものである。
【００１７】
請求項５に記載の発明は、請求項１から４の何れか１つに記載の発明において、前記アンカー本体は、４本設けられていることに特徴を有するものである。
【００１８】
請求項６に記載の発明は、請求項１から５の何れか１つに記載の発明において、前記台座は、チャンネル鋼からなっていることに特徴を有するものである。
【発明の効果】
【００１９】
この発明によれば、アンカー本体を鞘管内に通し、鞘管の長さをアンカー本体の長さの２／３にすることによって、鞘管がないアンカーに比べて強度を大幅に高くすることができる。
【図面の簡単な説明】
【００２０】
【図１】この発明のアンカーを示す正面図である。
【図２】この発明のアンカーを示す平面図である。
【図３】この発明のアンカーを構成する鞘管を示す図であり、（ａ）は、平面図であり、（ｂ）は、正面図である。
【図４】この発明のアンカーを構成するアンカー本体を示す図であり、（ａ）は、平面図であり、（ｂ）は、正面図である。
【図５】アンカーの試験結果を示すグラフである。
【図６】従来アンカーによる金網の設置状態を示す部分断面図である。
【図７】従来アンカーを示す部分省略斜視図である。
【図８】別の従来アンカーを示す断面図である。
【図９】さらに別の従来アンカーの使用状態を示す断面図である。
【発明を実施するための形態】
【００２１】
この発明のアンカーの一実施態様を、図面を参照しながら説明する。
【００２２】
図１は、この発明のアンカーを示す正面図、図２は、この発明のアンカーを示す平面図、図３は、この発明のアンカーを構成する鞘管を示す図であり、（ａ）は、平面図、（ｂ）は、正面図、図４は、この発明のアンカーを構成するアンカー本体を示す図であり、（ａ）は、平面図、（ｂ）は、正面図である。
【００２３】
図１から図４において、１は、鋼製の台座である。台座１は、断面コ字形のチャンネル鋼からなるが、これに限定されるものではない。台座１には、複数個（この例では、４個）の開口１ａが形成され、中央部には、後述するワイヤーロープが固定されるフック２が固定されている。
【００２４】
３は、開口１ａに挿入される鋼製の円管状の鞘管である(図３参照)。鞘管３の上端には、開口１ａの径より大きい面積を有する正方形状の鞘管用フランジ４が溶接により取り付けられている。鞘管３の長さは、後述するアンカー本体５の長さの２／３の長さを有している。
【００２５】
５は、鞘管５内に挿入される棒鋼からなるアンカー本体である(図４参照)。アンカー本体５の先端は、鋭角に形成され、アンカー本体５の上部には、鞘管用フランジ４の上に重ねられる正方形状のアンカー本体用フランジ６が溶接により取り付けられている。
【００２６】
このように構成されている、この発明のアンカーによる落石防止用網の設置方法を説明する。
【００２７】
図６に示すように、アンカーの設置場所に台座１を置き、台座１の開口１ａ内に、アンカー本体５を通した鞘管３を嵌め込み、鞘管３およびアンカー本体５を一体的に斜面１３に垂直に打ち込む。打ち込み後は、鞘管用フランジ４は、台座１の上面に当接し、アンカー本体用フランジ６は、鞘管用フランジ４の上に重なる。
【００２８】
鞘管３の長さは、アンカー本体５の長さの２／３の長さを有しているので、アンカー本体５の１／３の長さの分は、鞘管３の下端から突出して斜面１３に打ち込まれる。この後、フック２に吊りロープ１５を固定することにより金網１２の上部を斜面１３に固定する。このようにして、落石防止用網が斜面に設置される。
【００２９】
次に、この発明のアンカーの引張強度試験の結果について説明する。
【００３０】
図１、図２に示す本発明アンカーＡを用意した。各部材の寸法は、以下の通りである。
【００３１】
台座１の長さ：１３４０ｍｍ、
台座１の幅：１２５ｍｍ、
台座１の高さ：６５ｍｍ、
台座１の板厚：５ｍｍ、
台座１の開口１ａ間の距離４００ｍｍ、
台座１の開口１ａの径：３８ｍｍ、
【００３２】
鞘管３の長さ：１０００ｍｍ、
鞘管３の内径：３４ｍｍ、
鞘管３の板厚：２．３ｍｍ、
鞘管用フランジ４の一辺の長さ：１００ｍｍ、
鞘管用フランジ４の板厚：６ｍｍ、
【００３３】
アンカー本体５の長さ：１５５０ｍｍ、
アンカー本体５の径：２５ｍｍ、
アンカー本体用フランジ６の一辺の長さ：５０ｍｍ、
アンカー本体用フランジ６の板厚：４．５ｍｍ、
アンカー本体用フランジ６のアンカー本体５の上端からの距離５０ｍｍ。
【００３４】
次に、鞘管３がない以外は、上記本発明アンカーＡと同様の構造の比較用アンカーＢと、鞘管３の長さが５００ｍｍの比較用アンカーＣと、鞘管３の長さが１５００ｍｍの比較用アンカーＤとを用意した。
【００３５】
そして、上記各アンカーを粘土質の地盤に垂直に打ち込み、フック２に引張力を付与して、そのときの引張荷重とアンカーの変位との関係について調べた。この結果を、図５に示す。
【００３６】
図５から明らかなように、鞘管３の長さがアンカー本体５の長さの２／３である本発明アンカーＡは、鞘管３がない比較用アンカーＢ、鞘管３の長さがアンカー本体５の半分の比較用アンカーＣ、鞘管３の長さがアンカー本体と同じである比較用アンカーＤと比べて、引張強度が大幅に高いことが分かった。
【００３７】
以上説明したように、この発明によれば、アンカー本体５を鞘管３に通し、鞘管３の長さをアンカー本体５の長さの２／３とすることによって、引張強度を大幅に高くすることができる。
【符号の説明】
【００３８】
１：台座
１ａ：開口
２：フック
３：鞘管
４：鞘管用フランジ
５：アンカー本体
６：アンカー本体用フランジ
７：後面網体側連結コイル
１１：ワイヤーロープ
１２：金網
１３：斜面
１４：支柱
１５：吊りロープ
１６：アンカー
１７：台座
１８：アンカー本体
１９：フランジ
２０：フック
２１：別の従来アンカー
２２：上部固定具
２３：プレート
２４：ナット
２５：鋼棒
２６：孔
２７：グラウト
２８：さらに別の従来アンカー
２９：鉄筋
３０：中空管状体
３１：斜面
３２：表層すべり土塊
【図１】
0006674843.tif 000002
【図２】
0006674843.tif 000003
【図３】
0006674843.tif 000004
【図４】
0006674843.tif 000005
【図５】
0006674843.tif 000006
【図６】
0006674843.tif 000007
【図７】
0006674843.tif 000008
【図８】
0006674843.tif 000009
【図９】
0006674843.tif 000010